(57)【要約】【課題】使用者に対して爽快感や面白味等を与えると共に、幼児に対しては励ましにもなる音声機能を備えた歯ブラシを提供する。【解決手段】本発明による音声機能を備えた歯ブラシ１は、音声発生装置４０を収容した把手部１Ａと、歯ブラシ部１Ｂと、前記歯ブラシ部１Ｂの端部を受け、弾性部材８を介して前記把手部に支持され歯磨き動作に対応して端部が把手内で移動する歯ブラシ部受け部７と、前記把手内壁に設けられた環状の固定側接触端子１０２Ａと前記歯ブラシ部受け部の端部に設けられた移動側接触端子１０２Ｂとからなる接触式接点機構２とを含んでいる。前記音声発生装置４０は、前記接触式接点機構の動作に従って音声メッセージまたはメロディーの発生状態を制御するように構成されている。【選択図】　　　　　図１
2004105246.tif 000002
【特許請求の範囲】
【請求項１】
音声発生装置を収容した把手部と、
歯ブラシ部と、
前記歯ブラシ部の端部を受け、弾性部材を介して前記把手部に支持され歯磨き動作に対応して端部が把手内で移動する歯ブラシ部受け部と、
前記把手内壁に設けられた環状の固定側接触端子と前記歯ブラシ部受け部の端部に設けられた側接触端子とからなる接触式接点機構とを含み、
前記音声発生装置は、前記接触式接点機構の動作に従って音声メッセージまたはメロディーの発生状態を制御するように構成されている音声機能を備えた歯ブラシ。
【請求項２】
前記把手部の前記接触式接点機構を含む部分は、前記音声発生装置を含む部分に着脱可能であり、前記接触式接点機構と前記音声発生装置は結合時に接触接点で接続されている請求項１記載の音声機能を備えた歯ブラシ。
【請求項３】
前記歯ブラシ部は前記歯ブラシ部受け部に嵌入または嵌入されて支持されている請求項１記載の音声機能を備えた歯ブラシ。
【発明の詳細な説明】
【０００１】
【発明の属する技術分野】
本発明は、音声機能を備えた歯ブラシに関する。さらに詳しく言えば、本発明による歯ブラシは、歯磨き動作に伴って発声する音声メッセージまたはメロディー等により、例えば幼児を励ましたり、あるいは子供から大人にいたるまで爽快感を促したりするための音声機能を備えた歯ブラシに関する。
【０００２】
【従来の技術】
従来、例えば幼児用の歯ブラシには、把手部に様々なキャラクターの絵柄や造形物が施されているものがある。そして、幼児はこれを見て楽しみながら歯磨きを行なうのである。また、子供から大人にかけて使用される従来の歯ブラシは、使いやすさを向上させるために様々な形態のものが提案されている。最近電子部品の小型化にともない、歯ブラシ内に電子回路を組み込んで歯磨き動作と関連させて、音楽等を再生する装置の提案がある。把手部分に独立したスイッチを設けそのスイッチを操作することにより、音声を発生するものや、歯ブラシで歯を磨き始めるとスイッチがオンになり音楽を発生するもの（米国特許第４，３４１，２３０号）も提案されている。
【０００３】
【発明が解決しようとする課題】
従来の音声発生機能を持たない歯ブラシでは、歯磨きを行なっている幼児に対して何の励ましにもならず、しかも単なるキャラクターの絵柄や造形物では面白味や興味が湧かずかえって歯を磨くことが嫌いになってしまうという問題点を有していた。
また、前述の歯磨き動作に連動するスイッチを用いるものは、スイッチの動作方向が一方向に制限され、複雑な歯磨きの運動に対応できるものはなかった。
【０００４】
本発明の主たる目的は、従来の歯ブラシに比べて面白味や興味が湧くものとなると共に幼児等に対して励ましにもなるように歯磨き動作に関連して、音声を発生することができる音声機能を備えた歯ブラシを提供することにある。
本発明のさらに詳しい目的は、歯磨きにおけるブラシの複雑な動作にも対応できるスイッチを用い、そのスイッチ動作にしたがって音声等を発生する音声発生機能をもつ歯ブラシを提供することにある。
本発明のさらに詳しい目的は、歯ブラシとか音声発生装置の電池等の交換を容易にした音声発生機能をもつ歯ブラシを提供することにある。
【０００５】
【課題を解決するための手段】
前記目的を達成するために、本発明による音声機能を備えた歯ブラシは、
音声発生装置を収容した把手部と、
歯ブラシ部と、
前記歯ブラシ部の端部を受け、弾性部材を介して前記把手部に支持され歯磨き動作に対応して端部が把手内で移動する歯ブラシ部受け部と、
前記把手内壁に設けられた環状の固定側接触端子と前記歯ブラシ部受け部の端部に設けられた側接触端子とからなる接触式接点機構とを含み、
前記音声発生装置は、前記接触式接点機構の動作に従って音声メッセージまたはメロディーの発生状態を制御するように構成されている。
前記把手部の前記接触式接点機構を含む部分は、前記音声発生装置を含む部分に着脱可能であり、前記接触式接点機構と前記音声発生装置は結合時に接触接点で接続するように構成することができる。
前記歯ブラシ部は前記歯ブラシ部受け部に嵌入または嵌入されて支持されているように構成できる。
【０００６】
【発明の実施の形態】
以下図面を参照して本発明の一実施の形態を説明する。音声機能を備えた歯ブラシ１は、後述する揺動可能な歯ブラシ部受け部７を介して歯ブラシ部１Ｂの柄部分を着脱可能に装着支持する。中空状の把手部１Ａ内部に歯磨き動作に応じて振動する歯ブラシ部受け部７の振動毎に電源スイッチの瞬間的な閉成状態となってパルスを発生させる接触式接点機構２と、音声発生装置４０が設けられている。音声発生装置４０は、接触式接点機構２からのパルスを加算するための例えばＴ型フリップフロップを組合せて使用した２進法型計数回路を使用するカウンタ回路３と、例えば音声ＩＣメモリを利用した音声記録再生装置５と、例えば電源電圧１．３Ｖ用の２個のボタン電池１０Ａ，１０Ｂを使用する圧電発音体等のスピーカーを利用した音声ＩＣ回路による発音体４とを含んでいる。そして、音声発生装置４０は、カウンタ回路３によるパルスの加算値が所定の値に到達したときに音声メッセージやメロデイ等を発声させるかまたは終了させるように作動する。
【０００７】
そして、接触式接点機構２は、歯ブラシ部１Ｂから延設されている柄部分を装着するために先端に取付凹部１２を形成した例えば丸棒状の歯ブラシ部受け部７の先端部側が、中空円筒状の把手部１Ａの先端開口側において、弾性体による防水性のキャップ状のパッキング部材８を介して揺動可能となるように嵌装支持されており、歯ブラシ部受け部７の末端側は中空状の把手部１Ａ内部にフリーな状態で臨み込ませてある。また音声発生装置４０は把手部１Ａ末端側に内蔵されており、把手部１Ａに対して共に交換不可能に入れ込み式となって封止された状態に形成されている。把手部１Ａ内に配置されている２個のボタン電池（１０Ａ，１０Ｂ）を交換可能とするために、把手部１Ａは２つの部分から構成され、着脱可能になっている。把手部１Ａ自体の略中央部を長手方向に沿って形成した配線用溝部９に配置される配線と、接触式接点機構２側のバネとで電気接続がなされる。なお２１はフィルム、２２，２３，２４はゴム板、２５はバネである。発音体４の振動はフィルム２１を介して外部に伝達される。
【０００８】
この音声発生装置４０には、カウンタ回路３によるパルスの加算値の異なる到達値に応じて異なる音声メッセージやメロデイ等を発声させるよう加算値対応の音声記録再生装置５を備えている。具体的には音声発生装置４０は、カウンタ回路３に送られたパルスの加算値の異なる到達値、例えば２０回目、５０回目、７０回目、１００回目等のいずれかに応じてスピーカーから例えば幼児に対しては「まだまだ」「頑張ろう」「もう少し」「よく磨いたね」等の如く、また子供や大人に対しては「磨きが足りません」「まだまだ不十分です」「もう少し丁寧に」「十分に磨かれました」等の異なる音声メッセージを発声させたり、前記メッセージに替えて例えばクラシック音楽・アイドル歌手の音楽・演歌等の異なるメロデイを発生させたりするように形成してある。
【０００９】
具体的な接触式接点機構２の構成としては、図１に示すように、把持部１Ａ内部に形成した周状段差部にリング状の固定側接触端子１０２Ａが、外側へ略Ｖ字型に突出した係合突起部１１Ａを備えた下部のバネ脚部１１を介して略同軸状に固定配置される。一対のバネ脚部１１には、リング状の固定側接触端子１０２Ａと後述する移動側接触端子１０２Ｂが電気的に接続されている。このリング状の固定側接触端子１０２Ａのリング内側には、歯ブラシ部１Ｂの柄部分が装着された歯ブラシ部受け部７における移動側接触端子１０２Ｂの一部分だけが挿入配置されている。そして、固定側接触端子１０２Ａおよび移動側接触端子１０２Ｂは共にカウンタ回路３の入力側に接続されており、歯磨き動作に応じて柄部分と一体となって振動する歯ブラシ部受け部７における移動側接触端子１０２Ｂをリング状の固定側接触端子１０２Ａに瞬間的に接触させることでパルスを発生させカウンタ回路３に送るようにしてある。
【００１０】
また、接触式接点機構２とカウンタ回路３との間には電源入力制御手段６が設けられており、移動側接触端子１０２Ｂの振動による固定側接触端子１０２Ａへの最初の接触で電源スイッチの瞬間的な閉成状態とされた際に、カウンタ回路３の作動電源入力がオン状態となるように制御すると共に、所定秒数の間にカウンタ回路３にパルスが入力しないとカウンタ回路３の作動電源入力がオフ状態となるように制御する。具体的には、例えばカウンタ回路３へのパルスの入力の繰り返しが一定時間、例えば２秒以上続いたときに、音声発生装置によって音声メッセージやメロデイ等を出力するように形成する。
【００１１】
図２には、本発明に係る他の実施の形態が示されており、上記した実施の形態の構成と略同じ部分には同じ符号を附してその詳細な説明を省略してある。すなわち、本実施の形態においては、歯ブラシ部１Ｂから延設されている柄部分を装着するために歯ブラシ部受け部７の先端に取付凹部１２を形成する替わりに、例えば丸棒状の歯ブラシ部受け部７の先端部側に小径突起状の取付凸部１３を形成し、歯ブラシ部１Ｂの柄部分の末端部に形成した内側凹状の半球型嵌着部１４に歯ブラシ部受け部７の取付凸部１３を着脱自在に嵌着する構成としてある。
【００１２】
なお、本実施の形態では接触式接点機構２により、歯磨き動作に応じて振動する接触端子の振動毎に電源スイッチの瞬間的な閉成状態となってパルスを発生させるようにしてあるが、この接触式接点機構２とは別構成のパルス発生回路（図示せず）を接触式接点機構２とカウンタ回路３との間に介設し、接触式接点機構２による歯磨き動作に応じて振動する接触端子の振動毎にパルス発生回路により例えば一定出力の矩形波パルス等を発生させても良い。
【００１３】
次に、以上のように構成された実施の形態についての使用、動作の一例を説明するに、先ず、歯ブラシ部１Ｂの柄部分を歯ブラシ部受け部７の凹部に装着しておく。歯ブラシ部１Ｂに歯磨き粉を付けてから歯を磨くときの歯磨き動作に応じて把持部１Ａに対して、パッキング部材８を介して保持されている歯ブラシ部受け部７が横ぶれ方向に振動すると、図３に示すように、接触式接点機構２における移動側接触端子１０２Ｂがリング状の固定側接触端子１０２Ａのリング内径部に瞬間的に接触される。この接触の繰り返しによって断続的なパルスを発生させ、このパルスはカウンタ回路３へ送られる。このとき電源入力制御手段６により、移動側接触端子１０２Ｂの振動による固定側接触端子１０２Ａへの最初の接触で電源スイッチの閉成状態となった際に、カウンタ回路３への作動電源入力がオン状態となり、カウンタ回路３の計数動作が続行される。
【００１４】
そして、カウンタ回路３に送られたパルスの加算値が所定の値に到達したときに音声発生装置４０により音声メッセージまたはメロデイが発声される。
例えば音声発生装置４０は、カウンタ回路３に送られたパルスの加算値の異なる到達値、例えば２０回目、５０回目、７０回目、１００回目等のいずれかに応じてスピーカーからは、例えば幼児に対しては「まだまだ」「頑張ろう」「もう少し」「よく磨いたね」等の如く、また子供や大人に対しては「磨きが足りません」「まだまだ不十分です」「もう少し丁寧に」「十分に磨かれました」等の異なる音声メッセージを発声させたり、前記メッセージに替えて例えばクラシック音楽・アイドル歌手の音楽・演歌等の異なるメロデイを発生させたりする。一方、電源入力制御手段６により、所定秒数の間にカウンタ回路３にパルスが入力しないとカウンタ回路３への作動電源入力がオフ状態となり、カウンタ回路３の計数動作が停止される。
【００１５】
【発明の効果】
本発明は以上のように構成されているために、従来の歯ブラシに比べて、子供から大人にいたるまで面白味や興味が湧くものとなり、しかも爽快感を促すことができると共に、幼児に対しては励ましにもなる音声機能を備えた歯ブラシ１を提供することができる。
【００１６】
すなわちこれは本発明が、歯磨き動作に応じて振動する接触端子の振動毎にパルスを発生させる接触式接点機構２と、接触式接点機構２からのパルスを加算するカウンタ回路３を含み、カウンタ回路３によるパルスの加算値が所定の値に到達したときに音声メッセージまたはメロデイを発声させるかまたは終了する音声発生装置４０とを備えたからであり、これにより、歯磨きを行なっている使用者に対し聴覚を通じて励ましのメッセージや爽快感あるメロデイ等を容易に送ることができ、従来よりもまして一層の面白味や興味が湧くものとなる。
【００１７】
音声発生装置４０は、カウンタ回路３によるパルスの加算値の異なる到達値に応じて異なる音声メッセージやメロデイ等を発声させるので、歯磨きの際の歯ブラシの往復回数に応じた励ましのメッセージや爽快感ある音楽等を容易に送ることができる。
【００１８】
前記接触式接点機構２は、歯ブラシの柄部分を着脱可能となるように支持し、前記カウンタ回路３を含む音声発生装置４０を内蔵した中空状の把手部１Ａに対し揺動可能となるように支持された歯ブラシ部受け部７の末端側に被冠された移動側接触端子１０２Ｂと、移動側接触端子１０２Ｂがリング内中央に挿入され、歯ブラシ部受け部７の振動によって当該移動側接触端子１０２Ｂがリング内径部に接触可能としたリング状の固定側接触端子１０２Ａとを備え、固定側接触端子１０２Ａおよび移動側接触端子１０２Ｂは共にカウンタ回路３の入力側に接続されており、歯磨き動作に応じて移動側接触端子１０２Ｂが固定側接触端子１０２Ａのリング内径部に接触されることでパルスを発生させてカウンタ回路３に送るものとして構成したので、振動の激しい歯ブラシ先端部の振動を歯ブラシ部受け部７の移動側接触端子を通じてパルスに容易に変換させることができ、また手指によって被覆されない把手部１Ａ末端の音声発生装置４０により音声メッセージやメロデイ等を使用者に的確に伝えることができ、しかも安価で且つ簡易な回路構成による音声機能を備えた歯ブラシ１を容易に提供することができる。
【００１９】
前記歯ブラシ部受け部７は、弾性体による防水性のパッキング部材８を介して揺動可能となるように把手部１Ａに嵌装支持されているので、振動の激しい歯ブラシ先端部の振動を歯ブラシ部受け部７側に確実に伝達させることができる。
また、歯ブラシ部受け部７の振動中においてもパッキング部材８によって常に把手部１Ａ内部を水密封止状態に保持させておくことができる。しかも歯ブラシ部受け部７の接触端子を通じて的確なパルスに容易に変換させることができる。
【００２０】
移動側接触端子１０２Ｂの振動による固定側接触端子１０２Ａへの最初の接触により電源スイッチの閉成状態となった際に、カウンタ回路３の作動電源入力をオン状態にすると共に、所定秒数の間にカウンタ回路３にパルスが入力しないとカウンタ回路３の作動電源入力をオフ状態にする電源入力制御手段６を備えているので、電源の消費電力の節電となる。
【００２１】
本発明による音声機能を備えた歯ブラシは、前記把手部の前記接触式接点機構を含む部分は、前記音声発生装置を含む部分に着脱可能である。そのため、電池の交換等が容易にできる。また前記接触式接点機構と前記音声発生装置は結合時に接触接点で簡単に接続される。
【００２２】
以上詳しく説明した実施例について、本発明の範囲内で種々の変形を施すことができる。前記カウンタ回路３を接触式接点機構２からのパルスで起動されてクロックパルスを一定時間（一定個数）例えば１０秒間計数するカウンタ回路構成とし、１０秒以内に再起動されたときには、音声記録再生装置５の再生動作を維持するように構成することができる。接触式接点機構２からのパルスが１０秒以内に現れないときは、音声の発生を停止して電源をオフにする。
【図面の簡単な説明】
【図１】本発明による音声機能を備えた歯ブラシの実施例のの断面図である。
【図２】前記実施例の変形例を示す断面図である。
【図３】前記実施例の回路の構成およびスイッチの動作を示す断面図である。
【符号の説明】
１…歯ブラシ
１Ａ…把手部
１Ｂ…歯ブラシ部
２…接触式接点機構
３…カウンタ回路
４…発音体
５…音声記録再生装置
６…電源入力制御手段
７…歯ブラシ部受け部
８…パッキング部材
９…配線溝部
１０Ａ，１０Ｂ…ボタン電池
１１…バネ脚部
１２…取付凹部
１３…取付凸部
１４…半球型嵌着部
２１　フィルム
２２，２３，２４　ゴム板
２５　バネ
４０…音声発生装置
１０２Ａ…固定側接触端子
１０２Ｂ…移動側接触端子
【図１】
2004105246.tif 000003
【図２】
2004105246.tif 000004
【図３】
2004105246.tif 000005